(57)【要約】【課題】  極めて簡単に取外し可能でありかつ何度でも再利用可能な開閉リベットの提供。【解決手段】  半径方向外方に開脚可能な少なくとも２つの脚部（７）及び支承プレート（２）を有する係止部材（１）と、シャフト（１３）を有し、前記支承プレート（２）の貫通案内孔（２３）を貫通して前記係止部材（１）の内部に導入可能な操作部材（１１）とを備えた開閉リベットは、前記操作部材（１１）が、固定状態において前記支承プレート（２）に当接するヘッドプレート（１２）を有し、及び組立状態において前記支承プレート（２）（の着座面（６））に当接する背部係合面（１９）を有する係合ノーズ（１７）を有し、前記シャフト（１３）は、互いに向かい合う一対の２つの幅広側面（１４）と互いに向かい合う一対の２つの幅狭側面（１５）とによる角張った（矩形状）横断面を有し、前記幅広側面（１４）の、前記ヘッドプレート（１２）の方向への前記ベース部（１６）の延長領域には、前記ベース部（１６）に対応した寸法で形成され前記ヘッドプレート（１２）に境接する間隙充填部（２０）が形成され、及び貫通案内孔（２３）は、前記ベース部（１６）及び前記間隙充填部（２０）の両方の領域において、前記シャフト（１３）の寸法に適合されている。【選択図】  図１
2008508477.tif 000002
【特許請求の範囲】
【請求項１】
半径方向外方に開脚可能な少なくとも２つの脚部及び該脚部が結合している支承プレートを有する係止部材と、
シャフトを有すると共に、前記支承プレートの貫通案内孔を貫通して前記係止部材の内部に導入可能な操作部材と
を備えた開閉リベットであって、
前記操作部材の固定状態において、作用領域における拡開突起（複数）の係合によって、前記脚部（複数）が外方に開脚されるように構成された開閉リベットにおいて、
前記操作部材（１１）は、前記固定状態において前記支承プレート（２）に当接するヘッドプレート（１２）を有するよう構成され、
前記シャフト（１３）に形成された少なくとも１つの係合ノーズ（１７）有し、該係合ノーズ（１７）は、前記貫通案内孔（２３）にフィットないし適合するように面一に（buendig）形成される前記シャフト（１３）の側面（１５）を越えて突出延在すると共に、前記ヘッドプレート（１２）から離隔する側を指向し緩傾斜するよう配向される滑動面（１８）及び前記ヘッドプレート（１２）に向う側を指向し急傾斜するよう（ないし垂直に）配向される背部係合面（１９）を備えるよう構成され、
前記少なくとも１つの係合ノーズ（１７）は、その前記作用領域との間の間隔より大きい間隔をもって前記ヘッドプレート（１２）に対し配置されるよう構成されたこと
を特徴とする開閉リベット。
【請求項２】
前記（少なくとも１つの）背部係合面（１９）は、前記シャフト（１３）に対し垂直に配向されていること
を特徴とする請求項１に記載の開閉リベット。
【請求項３】
前記シャフト（１３）と、前記支承プレート（２）の前記貫通案内孔（２３）は、夫々、互いに対し適合された角張った（角付き形状ないし矩形状）横断面を有すること
を特徴とする請求項１又は２に記載の開閉リベット。
【請求項４】
前記シャフト（１３）の、前記ヘッドプレート（１２）と前記少なくとも１つの係合ノーズ（１７）との間には、外方に突出延在する少なくとも１つの固定突起（２１）が形成されていること
を特徴とする請求項１〜３の何れか一項に記載の開閉リベット。
【請求項５】
前記少なくとも１つの係合ノーズ（１７）と前記少なくとも１つの固定突起（２１）との間の距離は、前記貫通案内孔（２３）の領域における前記支承プレート（２）の厚さに相当すること
を特徴とする請求項４に記載の開閉リベット。
【請求項６】
前記支承プレート（２）は、前記固定状態において前記ヘッドプレート（１２）が嵌合可能に形成された嵌合凹部（３）を有すること
を特徴とする請求項１〜５の何れか一項に記載の開閉リベット。
【請求項７】
前記ヘッドプレート（１２）及び／又は前記支承プレート（２）は、前記支承プレート（２）から前記ヘッドプレート（１２）を取り外すための工具を適用（係合）するための工具適用（係合）構造（５）を有すること
を特徴とする請求項１〜６の何れか一項に記載の開閉リベット。
【発明の詳細な説明】
【技術分野】
【０００１】
本発明は、請求項１の上位概念（前置部）に応じた開閉リベット（アンカーボルトないしピン）に関する。
【背景技術】
【０００２】
この種の開閉リベットは、US-A-5,201,623から既知である。この既知の開閉リベットは、半径方向外方に開脚可能な少なくとも２つの脚部と、該脚部が形成（延出）されている支承プレートとを有する係止部材を有する。脚部は、内方を指向する拡開突起を有する。更に、この既知の装置では、操作部材は、凹凸構造が形成されたシャフトから構成されている。組立状態では、拡開突起は凹凸構造の凹部に嵌り込むため、脚部はシャフトに対しほぼ平行に延在し、開閉リベットは例えば支持部材及びカバー部材を貫通して延在する据付孔に嵌合可能な状態になる。操作部材の固定状態では、導入方向へのシャフトの軸方向運動に続いて、作用領域における凹凸構造と拡開突起との係合（嵌合）によって、脚部は外方に開脚する。このようにして、開閉リベットは据付孔に固定可能になる。
【特許文献１】US-A-5,201,623
【発明の開示】
【発明が解決しようとする課題】
【０００３】
開閉リベットを取り外すためには、シャフトは、拡開突起が凹凸構造の更なる凹部に嵌り込み、脚部が再びシャフトに対しほぼ平行に延在するようになるまで、導入方向に更に軸方向に押込まれる。ここに至ってようやく、開閉リベットは再び据付孔から抜き出すことができるようになる。この開閉リベットを再使用するためには、シャフトは、導入方向と反対方向に移動して再び組立状態に戻さなければならない。しかしながら、この作業は、相当に手間がかかることが判明しており、しかも、取付け及び取外しサイクルのために２つの方向に固定状態を経由しなければならないため、とりわけ拡開突起及び凹凸構造に無視し得ないほどの磨耗ないし疲労が生じる。
【０００４】
それゆえ、本発明の課題は、極めて簡単に取外し可能でありかつ何度でも（高頻度で）再利用可能に構成された冒頭で述べた種類の開閉リベットを提供することである。
【課題を解決するための手段】
【０００５】
上記の課題は、請求項１の特徴部に記載の特徴を有する冒頭で述べた種類の開閉リベットによって解決される。
【発明を実施するための最良の形態】
【０００６】
本発明の開閉リベットでは、操作部材が、固定状態において支承プレートに当接するヘッドプレートを有することによって、固定状態に到達する際に、拡開突起に依存しない係止作用が形成される。ヘッドプレートから離隔する側を指向し緩傾斜するよう配向される（平坦な）滑動面とヘッドプレートに向う側を指向し急傾斜するよう（ないし垂直に）配向される係合面を有する少なくとも１つの係合ノーズを備えることによって、操作部材は、比較的容易に係止部材に挿入されることができる一方で、支承プレートからヘッドプレートを取り外す際に実際上克服不可能な係止作用が生成されるが、この係止作用は、据付孔からの開閉リベットの抜き出しは許容する（阻害しない）。このため、本発明の開閉リベットは、取り扱い及び再利用が容易で磨耗ないし疲労も比較的少ない。
【０００７】
本発明の好ましい更なる実施形態は、従属請求項の対象である。
【０００８】
以下に図面を参照して説明する本発明の有利な実施例から更なる好ましい実施形態及び利点が明らかになる。
【実施例】
【０００９】
図１は、本発明の開閉リベット（アンカーボルトないしピン）の一実施例の斜視図である。図１のプラスチック製の開閉リベットは、この実施例では円形に形成された扁平な支承プレート２を備えた係止部材１を有する。支承プレート２には、直径上（方向）に延在する嵌合凹部３が形成されているが、嵌合凹部３は、支承プレート２の上面４の方向に開口している。嵌合凹部３の縁領域には、工具をあてがうための適用（係合）構造として、斜面５が形成されている。
【００１０】
支承プレート２の上面４の反対側（裏側）の着座面６には、支承プレート２に、２つの脚部７が結合（形成）されている。この２つの脚部７は、支承プレート２に対しほぼ垂直に配向されかつ互いに対し横方向に所定の間隔（距離）をおいて配置されており、脚部７同士の間にはシャフト受容空間８が形成されている。脚部７は、支承プレート２に近い側の領域に、ほぼ全域に亘って周方向に形成された複数の係止リング９を有し、他方、脚部７の支承プレート２から離隔する側の自由端部は、該自由端部の末端（ないし先端）から支承プレート２の方向に向かって（半径方向に）上昇する（拡径する）円錐（ないしテーパ）部分１０として形成されている。
【００１１】
図１に示した本発明の開閉リベットの実施例は、更に、操作部材１１を有する。操作部材１１は、ヘッドプレート１２と、ヘッドプレート１２に形成されかつ該ヘッドプレート１２に対しほぼ垂直に配向されたシャフト１３とから形成されている。シャフト１３は、互いに向かい合う一対の２つの幅広側面１４と互いに向かい合う一対の２つの幅狭側面１５とによる角張った（角付き形状ないし矩形状：eckig）横断面を有する。
【００１２】
幅広側面１４には、（該幅広側面１４の直交方向に）突出延在し、ヘッドプレート１２から所定の間隔（距離）をおいて配置されるベース部１６が形成されている。ベース部１６には、ヘッドプレート１２の方向を指向しかつ幅狭側面１５を（横断する方向に）越えて（外方に）突出延在する係合ノーズ（複数）１７が形成されている。係合ノーズ１７は、ヘッドプレート１２から離隔する側を指向し緩傾斜するよう配向される（緩い勾配で配される）滑動面１８と、ヘッドプレート１２に向う側を指向し急傾斜するよう（ないし垂直に）配向される（急勾配で配される）背部（戻止め）係合面１９とを有する。幅広側面１４の、ヘッドプレート１２の方向へのベース部１６の延長領域には、ベース部１６に対応した（適合した）寸法で形成され、ヘッドプレート１２に接する間隙充填部（複数）２０が形成されている。
【００１３】
幅狭側面１５の各々には、ヘッドプレート１２と係合ノーズ１７との間に、（１つの）固定突起２１が形成されている。固定突起２１は、ヘッドプレート１２に向う方向と、ヘッドプレート１２から離隔する方向の両側において夫々緩傾斜する（緩い勾配で配される）（２つの）傾斜面２２を有する。
【００１４】
図１に示した状態では、操作部材１１のシャフト１３は、支承プレート２に形成されかつベース部１６及び間隙充填部２０の両方の領域においてシャフト１３の（横）断面に対応（適合）した寸法を有する貫通案内孔２３を貫通して、部分的に、係止部材１の内部に挿入（導入）されている（嵌合している）。
【００１５】
図２は、図１に示した本発明の開閉リベットの操作部材１１のシャフト１３の１つの断面を示す。この断面は、係合ノーズ１７に向って見た固定突起２１の領域における（横）断面である。図２から明らかに見出すことができるように、係合ノーズ１７は、ヘッドプレート１２に向う方向を指向し、シャフト１３に対して直角に（直交方向に）配向されたその背部係合面１９が、シャフト１３の外周面を（横断する方向に）越えて（外方に）突出延在している。
【００１６】
図３は、図１に示した実施例の、操作部材１１が組立状態にある場合の側面図である。この組立状態では、操作部材１１のシャフト１３は、固定突起２１が貫通案内孔２３の縁部に当接（係合）しかつ係合ノーズ１７が支承プレート２の脚部７側の面に後方（背部）で係合し着座面６に当接する程の深さにまで、貫通案内孔２３を貫通して２つの脚部７の間に挿入されている。
【００１７】
図１に示した状態から図３に示した組立状態への操作部材１１の移行は、プラスチック材料の比較的大きな弾性に基づき、背部係合面１９が支承プレート２の着座面６に後方（背部）で係合するまで、係合ノーズ１７を、その滑動面１８を貫通案内孔２３の縁部に接触させて滑動させることによって可能にされる。本発明の開閉リベットの図示の実施例では、背部係合面１９と固定突起２１との間のシャフト１３の長手方向の間隔（長さ）は、貫通案内孔２３の領域における支承プレート２の厚さにほぼ相当するので、図３に示した組立状態では、操作部材１１は、所定の力が印加されるまで、係止部材１への更なる導入（押込み）に対して保護（阻止）されている。
【００１８】
図４は、図１〜図３に示した実施例であって、固定状態において平坦な支持部材２４及び該支持部材２４に載置されるカバー部材２５に形成された据付孔２６に挿通（嵌合）されておりかつ固定状態においてカバー部材２５と支持部材２４とが結合されている状態の側面図である。固定状態では、シャフト１３は、ヘッドプレート１２の反対側にあるシャフト１３の自由端部２７が、作用領域において、脚部７に形成されかつ互いに向かい合う拡開突起２８と係合する程の深さにまでシャフト受容空間８内に導入されている。シャフト１３の自由端部２７と拡開突起２８が係合すると、（２つの）脚部７は外方に開脚するため、開閉リベットは、支持部材２４の比較的大きな厚さ領域を介して据付孔２６に（アンカー）固定可能になる。
【００１９】
図４からとりわけ明確に見出すことができるように、ヘッドプレート１２は、固定状態において係止部材１の支承プレート２の嵌合凹部３に面一に（フィットないし適合するように）（buendig）嵌合するように構成されている。
【００２０】
本発明の開閉リベットは、据付孔２６から再度取り外すことができる。これは、例えば、ドライバー又は同様に形成されたその他の工具の平坦な端部を斜面５に適用し（あてがい）、操作部材１１のヘッドプレート１２を嵌合凹部３の中から引き出し（持ち上げ）、そして、固定突起２１が貫通案内孔２３を通り抜け、係合ノーズ１７の背部係合面１９が支承プレート２の着座面６に当接するまで、（ヘッドプレート１２を）例えば２つの指で摘んで導入方向と反対方向に牽引力を印加する（引張る）ことによって実行される。その際、２つの脚部７は、弾性があるため、互いに対しほぼ平行に配向された状態に復帰する。このようにして図３に示した組立状態が再び形成されるため、本発明の開閉リベットは、据付孔２６から抜き出して、再び使用することができる。
【図面の簡単な説明】
【００２１】
【図１】本発明の開閉リベットの一実施例の斜視図。
【図２】図１に示した本発明の開閉リベットの操作部材のシャフト断面図。
【図３】操作部材が組立状態にある、図１及び図２に示した実施例の側面図。
【図４】据付孔に配設され操作部材が固定状態にある、図１〜図３に示した実施例の側面図。
【図１】
2008508477.tif 000003
【図２】
2008508477.tif 000004
【図３】
2008508477.tif 000005
【図４】
2008508477.tif 000006
【手続補正書】
【提出日】平成18年4月27日(2006.4.27)
【手続補正１】
【補正対象書類名】特許請求の範囲
【補正対象項目名】全文
【補正方法】変更
【補正の内容】
【特許請求の範囲】
【請求項１】
半径方向外方に開脚可能な少なくとも２つの脚部（７）及び該脚部（７）が結合している支承プレート（２）を有する係止部材（１）と、
シャフト（１３）を有すると共に、前記支承プレート（２）の貫通案内孔（２３）を貫通して前記係止部材（１）の内部に導入可能な操作部材（１１）と
を備えた開閉リベットであって、
前記操作部材（１１）の固定状態において前記脚部（複数）（７）の作用領域に位置される拡開突起（複数）（２８）の係合によって、前記脚部（複数）（７）は、半径方向外方に開脚されるように構成され、
前記操作部材（１１）は、前記固定状態において前記支承プレート（２）に当接するヘッドプレート（１２）を有するよう構成され、
前記シャフト（１３）に形成された少なくとも１つの係合ノーズ（１７）を有し、該係合ノーズ（１７）は、前記貫通案内孔（２３）にフィットないし適合するように面一に（buendig）形成される前記シャフト（１３）の側面（１５）を越えて突出延在すると共に、前記ヘッドプレート（１２）から離隔する側を指向し緩傾斜するよう配向される滑動面（１８）及び前記ヘッドプレート（１２）に向う側を指向し急傾斜するよう（ないし垂直に）配向される背部係合面（１９）を備えるよう構成され、
前記少なくとも１つの係合ノーズ（１７）は、前記ヘッドプレート（１２）［前記支承プレート（２）］に前記背部係合面（１９）が当接しているとき、前記シャフト（１３）と前記拡開突起（２８）との係合が解除されるように調整された間隔をもって前記ヘッドプレート（１２）に対し配置されるよう構成された
開閉リベットにおいて、
前記シャフト（１３）は、互いに向かい合う一対の２つの幅広側面（１４）と互いに向かい合う一対の２つの幅狭側面（１５）とによる角張った（角付き形状ないし矩形状）横断面を有すること、
前記ヘッドプレート（１２）に対し所定の間隔をもって配置され前記幅広側面（１４）から突出延在するベース部（１６）が形成され、該ベース部（１６）には、前記ヘッドプレート（１２）の方向を指向しかつ前記幅狭側面（１５）を越えて突出延在する係合ノーズ（１７）が形成されていること、
前記幅広側面（１４）の、前記ヘッドプレート（１２）の方向への前記ベース部（１６）の延長領域には、前記ベース部（１６）に対応した寸法で形成され前記ヘッドプレート（１２）に接する間隙充填部（２０）が形成されていること、及び
前記貫通案内孔（２３）は、前記ベース部（１６）及び前記間隙充填部（２０）の両方の領域において、前記シャフト（１３）の寸法に適合されていること
を特徴とする開閉リベット。
【請求項２】
前記（少なくとも１つの）背部係合面（１９）は、前記シャフト（１３）に対し垂直に配向されていること
を特徴とする請求項１に記載の開閉リベット。
【請求項３】
前記シャフト（１３）の、前記ヘッドプレート（１２）と前記少なくとも１つの係合ノーズ（１７）との間には、外方に突出延在する少なくとも１つの固定突起（２１）が形成されていること
を特徴とする請求項１又は２に記載の開閉リベット。
【請求項４】
前記少なくとも１つの係合ノーズ（１７）と前記少なくとも１つの固定突起（２１）との間の距離は、前記貫通案内孔（２３）の領域における前記支承プレート（２）の厚さに相当すること
を特徴とする請求項３に記載の開閉リベット。
【請求項５】
前記支承プレート（２）は、前記固定状態において前記ヘッドプレート（１２）が嵌合可能に形成された嵌合凹部（３）を有すること
を特徴とする請求項１〜４の何れか一項に記載の開閉リベット。
【請求項６】
前記ヘッドプレート（１２）及び／又は前記支承プレート（２）は、前記支承プレート（２）から前記ヘッドプレート（１２）を取り外すための工具を適用（係合）するための工具適用（係合）構造（５）を有すること
を特徴とする請求項１〜５の何れか一項に記載の開閉リベット。
【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
半径方向外方に開脚可能な少なくとも２つの脚部（７）及び該脚部（７）が結合している支承プレート（２）を有する係止部材（１）と、
シャフト（１３）を有すると共に、前記支承プレート（２）の貫通案内孔（２３）を貫通して前記係止部材（１）の内部に導入可能な操作部材（１１）と
を備えた開閉リベットであって、
前記操作部材（１１）の固定状態において前記脚部（複数）（７）の作用領域に位置される拡開突起（複数）（２８）の係合によって、前記脚部（複数）（７）は、半径方向外方に開脚されるように構成され、
前記操作部材（１１）は、前記固定状態において前記支承プレート（２）に当接するヘッドプレート（１２）を有するよう構成され、
前記シャフト（１３）に形成された少なくとも１つの係合ノーズ（１７）を有し、該係合ノーズ（１７）は、前記貫通案内孔（２３）にフィットないし適合するように面一に形成される前記シャフト（１３）の側面（１５）を越えて突出延在すると共に、前記ヘッドプレート（１２）から離隔する側を指向し緩傾斜するよう配向される滑動面（１８）及び前記ヘッドプレート（１２）に向う側を指向し急傾斜するよう（ないし垂直に）配向される背部係合面（１９）を備えるよう構成され、
前記少なくとも１つの係合ノーズ（１７）は、前記支承プレート（２）に前記背部係合面（１９）が当接しているとき、前記シャフト（１３）と前記拡開突起（２８）との係合が解除されるように調整された間隔をもって前記ヘッドプレート（１２）に対し配置されるよう構成された
開閉リベットにおいて、
前記シャフト（１３）は、互いに向かい合う一対の２つの幅広側面（１４）と互いに向かい合う一対の２つの幅狭側面（１５）とによる角張った（角付き形状ないし矩形状）横断面を有すること、
前記ヘッドプレート（１２）に対し所定の間隔をもって配置され前記幅広側面（１４）から突出延在するベース部（１６）が形成され、該ベース部（１６）には、前記ヘッドプレート（１２）の方向を指向しかつ前記幅狭側面（１５）を越えて突出延在する係合ノーズ（１７）が形成されていること、
前記幅広側面（１４）の、前記ヘッドプレート（１２）の方向への前記ベース部（１６）の延長領域には、前記ベース部（１６）に対応した寸法で形成され前記ヘッドプレート（１２）に接する間隙充填部（２０）が形成されていること、及び
前記貫通案内孔（２３）は、前記ベース部（１６）及び前記間隙充填部（２０）の両方の領域において、前記シャフト（１３）の寸法に適合されていること
を特徴とする開閉リベット。
【請求項２】
前記（少なくとも１つの）背部係合面（１９）は、前記シャフト（１３）に対し垂直に配向されていること
を特徴とする請求項１に記載の開閉リベット。
【請求項３】
前記シャフト（１３）の、前記ヘッドプレート（１２）と前記少なくとも１つの係合ノーズ（１７）との間には、外方に突出延在する少なくとも１つの固定突起（２１）が形成されていること
を特徴とする請求項１又は２に記載の開閉リベット。
【請求項４】
前記少なくとも１つの係合ノーズ（１７）と前記少なくとも１つの固定突起（２１）との間の距離は、前記貫通案内孔（２３）の領域における前記支承プレート（２）の厚さに相当すること
を特徴とする請求項３に記載の開閉リベット。
【請求項５】
前記支承プレート（２）は、前記固定状態において前記ヘッドプレート（１２）が嵌合可能に形成された嵌合凹部（３）を有すること
を特徴とする請求項１〜４の何れか一項に記載の開閉リベット。
【請求項６】
前記ヘッドプレート（１２）及び／又は前記支承プレート（２）は、前記支承プレート（２）から前記ヘッドプレート（１２）を取り外すための工具を適用（係合）するための工具適用（係合）構造（５）を有すること
を特徴とする請求項１〜５の何れか一項に記載の開閉リベット。
【手続補正２】
【補正対象書類名】明細書
【補正対象項目名】全文
【補正方法】変更
【補正の内容】
【発明の詳細な説明】
【技術分野】
【０００１】
本発明は、請求項１の上位概念（前置部）に応じた開閉リベット（アンカーボルトないしピン）に関する。即ち、本発明は、半径方向外方に開脚可能な少なくとも２つの脚部及び該脚部が結合している支承プレートを有する係止部材と、シャフトを有すると共に、前記支承プレートの貫通案内孔を貫通して前記係止部材の内部に導入可能な操作部材とを備えた開閉リベットに関する。
【０００２】
この種の開閉リベットは、US-A-5,201,623から既知である。この既知の開閉リベットは、半径方向外方に開脚可能な少なくとも２つの脚部と、該脚部が形成（延出）されている支承プレートとを有する係止部材を有する。脚部は、内方を指向する拡開突起を有する。更に、この既知の装置では、操作部材は、凹凸構造が形成されたシャフトから構成されている。組立状態では、拡開突起は凹凸構造の凹部に嵌り込むため、脚部はシャフトに対しほぼ平行に延在し、開閉リベットは例えば支持部材及びカバー部材を貫通して延在する据付孔に嵌合可能な状態になる。操作部材の固定状態では、導入方向へのシャフトの軸方向運動に続いて、作用領域における凹凸構造と拡開突起との係合（嵌合）によって、脚部は外方に開脚する。このようにして、開閉リベットは据付孔に固定可能になる。この種の開閉リベットとしては、更に下記特許文献２−４が知られている。
【特許文献１】US-A-5,201,623
【特許文献２】EP 1 375 931 A1
【特許文献３】WO 03/072957 A2
【特許文献４】EP 0 682 186 A1
【発明の開示】
【発明が解決しようとする課題】
【０００３】
開閉リベットを取り外すためには、シャフトは、拡開突起が凹凸構造の更なる凹部に嵌り込み、脚部が再びシャフトに対しほぼ平行に延在するようになるまで、導入方向に更に軸方向に押込まれる。ここに至ってようやく、開閉リベットは再び据付孔から抜き出すことができるようになる。この開閉リベットを再使用するためには、シャフトは、導入方向と反対方向に移動して再び組立状態に戻さなければならない。しかしながら、この作業は、相当に手間がかかることが判明しており、しかも、取付け及び取外しサイクルのために２つの方向に固定状態を経由しなければならないため、とりわけ拡開突起及び凹凸構造に無視し得ないほどの磨耗ないし疲労が生じる。
【０００４】
それゆえ、本発明の課題は、極めて簡単に取外し可能でありかつ何度でも（高頻度で）再利用可能に構成された冒頭で述べた種類の開閉リベットを提供することである。
【課題を解決するための手段】
【０００５】
上記の課題は、請求項１の特徴部に記載の特徴を有する冒頭で述べた種類の開閉リベットによって解決される。即ち、上記の課題を解決するために、本発明の一視点により、半径方向外方に開脚可能な少なくとも２つの脚部及び該脚部が結合している支承プレートを有する係止部材と、シャフトを有すると共に、前記支承プレートの貫通案内孔を貫通して前記係止部材の内部に導入可能な操作部材とを備えた開閉リベットであって、
前記操作部材の固定状態において前記脚部（複数）の作用領域に位置される拡開突起（複数）の係合によって、前記脚部（複数）は、半径方向外方に開脚されるように構成され、
前記操作部材は、前記固定状態において前記支承プレートに当接するヘッドプレートを有するよう構成され、
前記シャフトに形成された少なくとも１つの係合ノーズを有し、該係合ノーズは、前記貫通案内孔にフィットないし適合するように面一に（buendig）形成される前記シャフトの側面を越えて突出延在すると共に、前記ヘッドプレートから離隔する側を指向し緩傾斜するよう配向される滑動面及び前記ヘッドプレートに向う側を指向し急傾斜するよう（ないし垂直に）配向される後部係合面を備えるよう構成され、
前記少なくとも１つの係合ノーズは、前記支承プレートに前記後部係合面が当接しているとき、前記シャフトと前記拡開突起との係合が解除されるように調整された間隔をもって前記ヘッドプレートに対し配置されるよう構成された開閉リベットが提供される。この開閉リベットにおいて、前記シャフトは、互いに向かい合う一対の２つの幅広側面と互いに向かい合う一対の２つの幅狭側面とによる角張った（角付き形状ないし矩形状）横断面を有すること、前記ヘッドプレートに対し所定の間隔をもって配置され前記幅広側面から突出延在するベース部が形成され、該ベース部には、前記ヘッドプレートの方向を指向しかつ前記幅狭側面を越えて突出延在する係合ノーズが形成されていること、前記幅広側面の、前記ヘッドプレートの方向への前記ベース部の延長領域には、前記ベース部に対応した寸法で形成され前記ヘッドプレートに接する間隙充填部が形成されていること、及び前記貫通案内孔は、前記ベース部及び前記間隙充填部の両方の領域において、前記シャフトの寸法に適合されていることを特徴とする（形態１・基本構成）。
【発明の効果】
【０００６】
本発明の独立請求項１に記載の開閉リベットは、極めて簡単に取外し可能でありかつ何度でも（高頻度で）再利用可能であり、更に、係止部材に対する操作部材の容易な導入及び大きな回転抵抗性の達成が可能である。
更に、各従属請求項により、付加的な効果が夫々達成される。
【発明を実施するための最良の形態】
【０００７】
本発明の開閉リベットでは、操作部材が、固定状態において支承プレートに当接するヘッドプレートを有することによって、固定状態に到達する際に、拡開突起に依存しない係止作用が形成される。ヘッドプレートから離隔する側を指向し緩傾斜するよう配向される（平坦な）滑動面とヘッドプレートに向う側を指向し急傾斜するよう（ないし垂直に）配向される係合面を有する少なくとも１つの係合ノーズを備えることによって、操作部材は、比較的容易に係止部材に挿入されることができる一方で、支承プレートからヘッドプレートを取り外す際に実際上克服不可能な係止作用が生成されるが、この係止作用は、据付孔からの開閉リベットの抜き出しは許容する（阻害しない）。このため、本発明の開閉リベットは、取り扱い及び再利用が容易で磨耗ないし疲労も比較的少ない。
【０００８】
本発明の好ましい更なる実施形態は、従属請求項の対象である。
以下に、本発明の実施の形態を示す。但し、形態１以外は従属請求項の対象である。
（形態１）  上記基本構成参照。
（形態２）  上記形態１の開閉リベットにおいて、前記（少なくとも１つの）背部係合面は、前記シャフトに対し垂直に配向されていることが好ましい。
（形態３）  上記形態１又は２の開閉リベットにおいて、前記シャフトの、前記ヘッドプレートと前記少なくとも１つの係合ノーズとの間には、外方に突出延在する少なくとも１つの固定突起が形成されていることが好ましい。
（形態４）  上記形態３の開閉リベットにおいて、前記少なくとも１つの係合ノーズと前記少なくとも１つの固定突起との間の距離は、前記貫通案内孔の領域における前記支承プレートの厚さに相当することが好ましい。
（形態５）  上記形態１〜４の開閉リベットにおいて、前記支承プレートは、前記固定状態において前記ヘッドプレートが嵌合可能に形成された嵌合凹部を有することが好ましい。
（形態６）  上記形態１〜５の開閉リベットにおいて、前記ヘッドプレート及び／又は前記支承プレートは、前記支承プレートから前記ヘッドプレートを取り外すための工具を適用（係合）するための工具適用（係合）構造を有することが好ましい。
（形態７）  上記形態１〜６の開閉リベットにおいて、前記シャフトと、前記支承プレートの前記貫通案内孔は、夫々、互いに対し適合された角張った（角付き形状ないし矩形状）横断面を有することが好ましい。
【０００９】
以下に図面を参照して説明する本発明の有利な実施例から更なる好ましい実施形態及び利点が明らかになる。なお、特許請求の範囲の各請求項に付記した図面参照符号は専ら理解を助けるためのものであり、図示の態様に限定することを意図するものではない。
【実施例】
【００１０】
図１は、本発明の開閉リベット（アンカーボルトないしピン）の一実施例の斜視図である。図１のプラスチック製の開閉リベットは、この実施例では円形に形成された扁平な支承プレート２を備えた係止部材１を有する。支承プレート２には、直径上（方向）に延在する嵌合凹部３が形成されているが、嵌合凹部３は、支承プレート２の上面４の方向に開口している。嵌合凹部３の縁領域には、工具をあてがうための適用（係合）構造として、斜面５が形成されている。
【００１１】
支承プレート２の上面４の反対側（裏側）の着座面６には、支承プレート２に、２つの脚部７が結合（形成）されている。この２つの脚部７は、支承プレート２に対しほぼ垂直に配向されかつ互いに対し横方向に所定の間隔（距離）をおいて配置されており、脚部７同士の間にはシャフト受容空間８が形成されている。脚部７は、支承プレート２に近い側の領域に、ほぼ全域に亘って周方向に形成された複数の係止リング９を有し、他方、脚部７の支承プレート２から離隔する側の自由端部は、該自由端部の末端（ないし先端）から支承プレート２の方向に向かって（半径方向に）上昇する（拡径する）円錐（ないしテーパ）部分１０として形成されている。
【００１２】
図１に示した本発明の開閉リベットの実施例は、更に、操作部材１１を有する。操作部材１１は、ヘッドプレート１２と、ヘッドプレート１２に形成されかつ該ヘッドプレート１２に対しほぼ垂直に配向されたシャフト１３とから形成されている。シャフト１３は、互いに向かい合う一対の２つの幅広側面１４と互いに向かい合う一対の２つの幅狭側面１５とによる角張った（角付き形状ないし矩形状：eckig）横断面を有する。
【００１３】
幅広側面１４には、（該幅広側面１４の直交方向に）突出延在し、ヘッドプレート１２から所定の間隔（距離）をおいて配置されるベース部１６が形成されている。ベース部１６には、ヘッドプレート１２の方向を指向しかつ幅狭側面１５を（横断する方向に）越えて（外方に）突出延在する係合ノーズ（複数）１７が形成されている。係合ノーズ１７は、ヘッドプレート１２から離隔する側を指向し緩傾斜するよう配向される（緩い勾配で配される）滑動面１８と、ヘッドプレート１２に向う側を指向し急傾斜するよう（ないし垂直に）配向される（急勾配で配される）背部（戻止め）係合面１９とを有する。幅広側面１４の、ヘッドプレート１２の方向へのベース部１６の延長領域には、ベース部１６に対応した（適合した）寸法で形成され、ヘッドプレート１２に接する間隙充填部（複数）２０が形成されている。
【００１４】
幅狭側面１５の各々には、ヘッドプレート１２と係合ノーズ１７との間に、（１つの）固定突起２１が形成されている。固定突起２１は、ヘッドプレート１２に向う方向と、ヘッドプレート１２から離隔する方向の両側において夫々緩傾斜する（緩い勾配で配される）（２つの）傾斜面２２を有する。
【００１５】
図１に示した状態では、操作部材１１のシャフト１３は、支承プレート２に形成されかつベース部１６及び間隙充填部２０の両方の領域においてシャフト１３の（横）断面に対応（適合）した寸法を有する貫通案内孔２３を貫通して、部分的に、係止部材１の内部に挿入（導入）されている（嵌合している）。
【００１６】
図２は、図１に示した本発明の開閉リベットの操作部材１１のシャフト１３の１つの断面を示す。この断面は、係合ノーズ１７に向って見た固定突起２１の領域における（横）断面である。図２から明らかに見出すことができるように、係合ノーズ１７は、ヘッドプレート１２に向う方向を指向し、シャフト１３に対して直角に（直交方向に）配向されたその背部係合面１９が、シャフト１３の外周面を（横断する方向に）越えて（外方に）突出延在している。
【００１７】
図３は、図１に示した実施例の、操作部材１１が組立状態にある場合の側面図である。この組立状態では、操作部材１１のシャフト１３は、固定突起２１が貫通案内孔２３の縁部に当接（係合）しかつ係合ノーズ１７が支承プレート２の脚部７側の面に後方（背部）で係合し着座面６に当接する程の深さにまで、貫通案内孔２３を貫通して２つの脚部７の間に挿入されている。
【００１８】
図１に示した状態から図３に示した組立状態への操作部材１１の移行は、プラスチック材料の比較的大きな弾性に基づき、背部係合面１９が支承プレート２の着座面６に後方（背部）で係合するまで、係合ノーズ１７を、その滑動面１８を貫通案内孔２３の縁部に接触させて滑動させることによって可能にされる。本発明の開閉リベットの図示の実施例では、背部係合面１９と固定突起２１との間のシャフト１３の長手方向の間隔（長さ）は、貫通案内孔２３の領域における支承プレート２の厚さにほぼ相当するので、図３に示した組立状態では、操作部材１１は、所定の力が印加されるまで、係止部材１への更なる導入（押込み）に対して保護（阻止）されている。
【００１９】
図４は、図１〜図３に示した実施例であって、固定状態において平坦な支持部材２４及び該支持部材２４に載置されるカバー部材２５に形成された据付孔２６に挿通（嵌合）されておりかつ固定状態においてカバー部材２５と支持部材２４とが結合されている状態の側面図である。固定状態では、シャフト１３は、ヘッドプレート１２の反対側にあるシャフト１３の自由端部２７が、作用領域において、脚部７に形成されかつ互いに向かい合う拡開突起２８と係合する程の深さにまでシャフト受容空間８内に導入されている。シャフト１３の自由端部２７と拡開突起２８が係合すると、（２つの）脚部７は外方に開脚するため、開閉リベットは、支持部材２４の比較的大きな厚さ領域を介して据付孔２６に（アンカー）固定可能になる。
【００２０】
図４からとりわけ明確に見出すことができるように、ヘッドプレート１２は、固定状態において係止部材１の支承プレート２の嵌合凹部３に面一に（フィットないし適合するように）（buendig）嵌合するように構成されている。
【００２１】
本発明の開閉リベットは、据付孔２６から再度取り外すことができる。これは、例えば、ドライバー又は同様に形成されたその他の工具の平坦な端部を斜面５に適用し（あてがい）、操作部材１１のヘッドプレート１２を嵌合凹部３の中から引き出し（持ち上げ）、そして、固定突起２１が貫通案内孔２３を通り抜け、係合ノーズ１７の背部係合面１９が支承プレート２の着座面６に当接するまで、（ヘッドプレート１２を）例えば２つの指で摘んで導入方向と反対方向に牽引力を印加する（引張る）ことによって実行される。その際、２つの脚部７は、弾性があるため、互いに対しほぼ平行に配向された状態に復帰する。このようにして図３に示した組立状態が再び形成されるため、本発明の開閉リベットは、据付孔２６から抜き出して、再び使用することができる。
【図面の簡単な説明】
【００２２】
【図１】本発明の開閉リベットの一実施例の斜視図。
【図２】図１に示した本発明の開閉リベットの操作部材のシャフト断面図。
【図３】操作部材が組立状態にある、図１及び図２に示した実施例の側面図。
【図４】据付孔に配設され操作部材が固定状態にある、図１〜図３に示した実施例の側面図。
【手続補正３】
【補正対象書類名】図面
【補正対象項目名】図２
【補正方法】変更
【補正の内容】
【図２】
2008508477.tif 000007
【国際調査報告】
2008508477.tif 000008
2008508477.tif 000009
2008508477.tif 000010
2008508477.tif 000011
2008508477.tif 000012
2008508477.tif 000013